(57)【要約】【課題】職場や学校、家庭でも、鍼治療の原理に根ざした眼精疲労を含む目の疲労回復、視力低下予防、視力回復のための訓練が簡単かつ楽しくでき、眼疾患の発見にもつながる装置の提供。【解決手段】携帯機器のディプレイ上に符号または図形を表示し、ユーザーの目とディプレイとの距離及び相対的位置並びに前記符号または図形の移動・変形に合わせて眼球運動、呼吸及び／またはツボ刺激を促すことにより、眼筋を訓練し、呼吸を整え、及び／またはツボを刺激する健康増進システム。【選択図】なし【特許請求の範囲】
【請求項１】
ＡＲマーカーまたはサイトへの誘導符号を携帯機器で読み取ることにより、符号または図形を表示空間に立体的に、またはディスプレイ装置上に表示し、前記符号または図形の移動・変形に合わせて眼球運動、呼吸及び／またはツボ刺激を促すことにより、眼筋を訓練し、呼吸を整え、及び／またはツボを刺激する健康増進システム。
【請求項２】
前記ＡＲマーカーまたはサイトへの誘導符号がコンピューターもしくはテレビのディプレイまたは屋内もしくは屋外のスクリーン上に表示される請求項１に記載の健康増進システム。
【請求項３】
前記携帯機器がさらに位置及び／または距離位置及び／または角度及び／または圧力及び／または圧力センサー機能を有し、目と携帯機器との間の距離や位置関係を測定し、所定の距離及び／または位置関係に至った時点で、音声メッセージを発し、あるいは、注視点の図形を変形・変色・移動・回転のいずれかを行ってそれをユーザーの目によって追尾させて眼筋を訓練し、呼吸を整え、及び／またはツボを刺激する請求項１または２に記載の健康増進システム。
【請求項４】
前記携帯機器が注視点の周辺にも複数の点や図形を表示して、ユーザーに対し、そのような図形が認識できたかどうかを音声メッセージとして問い、ユーザーからの返事を音声認識で認識し、その結果に応じて、視野の状況を推察する請求項１〜３のいずれかに記載の健康増進システム。
【請求項５】
本発明による訓練結果・測定結果を日常的または定期的に記録する請求項１〜４のいずれかに記載の健康増進システム。
【請求項６】
請求項１〜５のいずれかに記載の健康増進システムによる訓練結果・測定結果を特定のサーバーに送信して、データの診断やアドバイス等を受けるシステム。
【発明の詳細な説明】
【技術分野】
【０００１】
本発明は、健康増進システムに関する。
【背景技術】
【０００２】
近年、パソコンを中心とした事務作業が多くなり、仕事においては近い距離しか見ることがないという場合が多い。これは学生においても同様であり、眼精疲労や近視率増大の原因になっている。眼精疲労は眼だけの問題ではなく頭痛、首の痛み、肩こり、背中の痛み、さらには胃痛や食欲不振、便秘を引き起こすこともあり、さらに進行すると、イライラや不安感、うつなどの精神症状へ発展することもある。
【０００３】
鍼治療は、眼精疲労その他の慢性症状の解消に有効な手段である。また、鍼治療に視力低下予防効果、視力回復効果があることも知られている。しかし、必ずしも、会社員や学生が治療を受けに通えるものではなく、鍼治療の原理に根ざした眼精疲労回復方法、視力低下予防方法、視力回復方法、呼吸調整方法、ツボ刺激方法が提供されれば社会的に大きな貢献になる。
【発明の概要】
【発明が解決しようとする課題】
【０００４】
本発明は、上記課題の解決を目的とするものであり、職場や学校、家庭でも、鍼治療の原理に根ざした眼精疲労を含む目の疲労回復、視力低下予防、視力回復のための訓練、呼吸調整、ツボ刺激が簡単かつ楽しくできるシステムを提供する。
【課題を解決するための手段】
【０００５】
本発明者らは、上記課題の解決手段を検討し、以下の発明を完成するに至った。
［１］  ＡＲマーカーまたはサイトへの誘導符号またはサイトへの誘導符号を携帯機器で読み取ることにより、符号または図形を表示空間に立体的に、またはディスプレイ装置上に表示し、前記符号または図形の移動・変形に合わせて眼球運動、呼吸及び／またはツボ刺激を促すことにより、眼筋を訓練し、呼吸を整え、及び／またはツボを刺激する健康増進システム。
［２］  前記ＡＲマーカーまたはサイトへの誘導符号がコンピューターもしくはテレビのディプレイまたは屋内もしくは屋外のスクリーン上に表示される前記［１］に記載の健康増進システム。
［３］  前記携帯機器がさらに位置及び／または距離位置及び／または角度及び／または圧力及び／または圧力センサー機能を有し、目と携帯機器との間の距離や位置関係を測定し、所定の距離及び／または位置関係に至った時点で、音声メッセージを発し、あるいは、注視点の図形を変形・変色・移動・回転のいずれかを行ってそれをユーザーの目によって追尾させて眼筋を訓練し、呼吸を整え、及び／またはツボを刺激する前記［１］または［２］に記載の健康増進システム。
［４］  前記携帯機器が注視点の周辺にも複数の点や図形を表示して、ユーザーに対し、そのような図形が認識できたかどうかを音声メッセージとして問い、ユーザーからの返事を音声認識で認識し、その結果に応じて、視野の状況を推察する前記［１］〜［３］のいずれかに記載の健康増進システム。
［５］  本発明による訓練結果・測定結果を日常的または定期的に記録する前記［１］〜［４］のいずれかに記載の健康増進システム。
［６］  前記［１］〜［５］のいずれかに記載の健康増進システムによる訓練結果・測定結果を特定のサーバーに送信して、データの診断やアドバイス等を受けるシステム。
【発明の効果】
【０００６】
場所を問わず、鍼治療の原理に根ざした眼精疲労を含む目の疲労回復、視力低下予防、視力回復のための訓練、呼吸調整、及び／またはツボ刺激が短時間で楽しくできるため、効果的に健康増進を図ることができる。
【発明を実施するための形態】
【０００７】
以上の目的を達成するため、本発明の原理にしたがって、下記の発明を開示する。 
【０００８】
本発明は、ＡＲマーカーまたはサイトへの誘導符号を読み取ることにより、携帯端末やタブレット、携帯ゲーム機、携帯眼鏡等（本願において「携帯機器」という）の表示空間にマーク等の符号または図形を立体的に、またはディスプレイ装置上に表示し、ユーザーの目とディプレイとの距離及び相対的位置並びに前記移動・変形に合わせて眼球運動、呼吸及び／またはツボ刺激を促すことにより、眼筋を訓練し、呼吸を整え、及び／またはツボを刺激する健康増進システムである。
【０００９】
なお、本発明において「眼筋」とは、眼球の動きを支配する外眼筋と瞳孔運動と調節に関わる内眼筋の両者並びに眼球周りの筋肉（例えば、眼輪筋）を含む。
【００１０】
外眼筋は、上斜筋、下斜筋、上直筋、下直筋、内直筋、外直筋の６つの筋肉である。上斜筋以外の5つは、総腱輪（これを通して視神経が眼窩先端部に出る）から起始して、6つとも眼球表面の強膜に停止する。上直筋、下直筋、内直筋、下斜筋は動眼神経が支配する。上斜筋は滑車神経、外直筋は外転神経が支配する。
【００１１】
内眼筋は、虹彩筋と毛様体筋の２つの筋肉である。虹彩筋は虹彩を調節して視力の焦点を合わせる筋肉の総称で、瞳孔括約筋と瞳孔散大筋の2つの筋肉がある。毛様体筋は水晶体を調節してピントを合わせる筋肉である。
【００１２】
本発明における第１の態様は、符号または図形を表示する一方、音声によって、これに関連する指示を発するシステムである。
例えば、注視点となる符号または図形を表示した状態で「マークを両目で見つめたままゆっくり顔に近づけてください」⇒「マークを両目で見つめたままゆっくり顔の前で左右に動かしてください」⇒「マークを両目で見つめたままゆっくり顔の前で上下に動かしてください」⇒「マークを両目で見つめたままゆっくり顔から遠ざけてください」、「ゆっくり息を吐いてください」、「吐き切った後に気を取り込んでください」、「○○のツボを刺激してください」といったメッセージを音声で伝える。また、ツボ刺激に際しては、ＡＲの表示空間またはディスプレイ装置上に示したヒトガタにおいて、どの部分かを明示することにより、初心者でも的確なツボ刺激ができる。
【００１３】
このような音声メッセージに合わせて眼球運動、呼吸及び／またはツボ刺激を行うことにより、確実に適切なタイミングで眼球を動かし、眼筋を運動させる。
【００１４】
この態様において注視点は典型的には円形や二重円、矩形、菱形、ランドルト環（視力検査で用いるC字型のマーク）等の幾何学図形、アルファベットその他の文字、数字等であるが、マンガやアニメ、映画、各種商品等のキャラクターとしてもよい。また、予め利用者を写真撮影して登録し、利用者のヒトガタを表示空間に立体的に、またはディスプレイ装置上に表示してもよい。さらに、これらの色も自由に変えることが可能である。
【００１５】
ＡＲマーカーまたはサイトへの誘導符号は任意の場所に設置したり、様々な物品にカードとして封入できるが、本発明の一態様では、コンピューターもしくはテレビのディプレイまたは屋内もしくは屋外のスクリーン上に表示される。サイトへの誘導符号はバーコードや二次元バーコードでもよいし、ＵＲＬを文字で表記したものでもよい。
これにより、職場や学校等で、また、ネットやテレビの視聴中において、また、屋内で映画等を見る際や広告と一体のものとして本発明の健康増進方法を実施できる。これらのＡＲマーカーまたはサイトへの誘導符号は場所により、または個人により個別のものを発行できるため、集合的に同一の画像等を表示するのみならず、個々の利用者に応じた内容を提供できる。
【００１６】
本発明における第２の態様は、携帯機器またはこれと接続可能なデバイスに位置、距離、角度、圧力センサー機能がある場合であり、眼と携帯機器との間の距離や位置関係を測定し、所定の距離や位置関係に至った時点で、音声メッセージを発したり、注視点の図形を変形したり、色を変えたり回転したりする。これにより、より正確な眼球運動、呼吸及び／またはツボ刺激をさせることができる。
【００１７】
本発明における第３の態様は、表示空間内に複数の点や図形を表示して、その中から特定の点や図形を探させる装置である。すなわち、人間の眼は、一定の範囲の視野を有しているが、このような視野は年齢や健康状態により大きく変化する。例えば、ディスプレイ上に特定の注視点を表示し、想定される視野内で別の属性（色、形、形状）の図形を点滅させたり動かしたりする。この際、そのような図形が認識できたかどうかを例えば音声メッセージとして発し、ユーザーは、それに対し音声その他の手段で返答する。装置はこれを音声認識等で認識し、その結果に応じて、視野の状況を推察する。これにより、例えば、緑内障、網膜剥離、糖尿病性網膜症、網膜色素変性症、視神経炎、脳腫瘍等の疑いがあるか否か等を判断することができる。
【００１８】
本発明における第４の態様は、以上のような訓練結果・測定結果を日常的または定期的に記録する装置である。例えば、いつ訓練をしたか、測定結果はどのようなものであったかを自動的に記録する。これにより、例えば、ユーザー自身が眼筋を訓練した効果を客観的に把握できる上、医師や鍼灸師等に相談する場合の参考にもなる。
【００１９】
本発明における第５の態様は、以上のような訓練結果・測定結果を特定のサーバーに送信して、データの診断やアドバイス等を受けるシステムである。具体的には、上記の装置を用いて日常的または定期的に訓練・測定した結果及び／または現状の問題点を受信し記録するサーバーと、症状とその解決策を蓄積したデータベースと、前記結果をそのデータベース内から検索して、解決策を導き出す手段を含み、ユーザーはその解決策を受信する。
【００２０】
以上の各種態様は、いわゆる携帯機器のアプリや携帯ゲームとして構成できる。
【産業上の利用可能性】
【００２１】
本発明は、眼精疲労を含む目の疲労回復、視力低下予防、視力回復のための訓練に広く用いることができ、眼疾患の発見にも使用できる。さらに、幅広い場面での健康増進に役立てることができる。